(57)【要約】      （修正有）【課題】入院患者自身によりバイタルを測定することができるナースコールシステムを提供する。【解決手段】ナースコールシステムＡにおいて、制御機８は、予め設定された所定の時間になると、バイタル取得部を有するベッドサイドモニタ３にバイタル測定要請信号を送信する。ベッドサイドモニタは、バイタル測定要請信号を受信すると、バイタル取得部を有効にするとともに、入院患者にバイタルを測定するよう報知する制御を実行する。この報知により、入院患者は、バイタル取得部に、示指の指腹を接触させる。バイタル取得部は、個人認証を行った上でバイタルの測定を実行する。バイタルの測定が終了すると、ベッドサイドモニタは、測定されたバイタル情報を所定の患者情報とともに制御機８に送信する制御を実行する。【選択図】図１
2019146125.tif 000002
【特許請求の範囲】
【請求項１】
入院患者が看護師を呼ぶために病室のベッド毎に備えられたナースコール子機と、
前記ナースコール子機からの呼び出しに応答するためにナースステーションに設置されたナースコール親機と、
前記ナースコール子機が接続され、病室内のベッド近傍に設置されるプレート子機と、
病室のベッド毎に備えられて患者関連情報を表示可能なベッドサイドモニタと、
機器間の通話および通信を制御する制御装置と、
前記ナースコール子機からの呼び出しに応答するために看護師が携行する複数の看護師用携帯電話と、
入院患者が所持する複数の入院患者用携帯電話と、
を備えたナースコールシステムであって、
前記ナースコール子機、前記プレート子機、前記ベッドサイドモニタまたは前記入院患者用携帯電話のうちのいずれか一つの機器は、前記入院患者の所定の部位を接触させることにより前記入院患者のバイタルの測定ができるバイタル測定部またはバイタル測定を行う機器からバイタル情報を取得できるバイタル通信部を有しており、前記バイタル測定部により測定されたバイタル情報または前記バイタル通信部から取得したバイタル情報を所定の患者情報とともに前記制御装置に送信する制御を実行する、
ナースコールシステム。
【請求項２】
前記ナースコール子機、前記プレート子機、前記ベッドサイドモニタまたは前記入院患者用携帯電話のうちのいずれか一つの機器は、バイタルを測定する際に個人認証を実行する制御を実行する、
請求項１記載のナースコールシステム。
【請求項３】
前記制御装置は、予め設定された所定の時間になると、前記バイタル測定部またはバイタル前記通信部を有する前記いずれか一つの機器にバイタル測定要請信号を送信し、
前記バイタル測定要請信号を受信した前記いずれかの一つの機器は、前記入院患者にバイタルを測定するよう報知する制御を実行する、
請求項１または２記載のナースコールシステム。
【請求項４】
前記バイタル測定要請信号を受信した前記いずれかの一つの機器が前記バイタル測定部を有する場合、前記バイタル測定部を有効にするとともに、前記入院患者にバイタルを測定するよう報知する制御を実行する、
請求項３記載のナースコールシステム。
【請求項５】
前記制御装置は、前記バイタル測定部または前記バイタル通信部を有する前記いずれか一つの機器に前記バイタル測定要請信号を送信した後、所定の時間が経過しても前記いずれか一つの機器から前記バイタル情報を受信しない場合、担当看護師の前記看護師用携帯電話にバイタル情報未受信通知信号を送信する制御を実行する、
請求項３または４記載のナースコールシステム。
【請求項６】
前記制御装置は、前記バイタル測定部または前記バイタル通信部を有する前記いずれか一つの機器にバイタル測定要請信号を送信した後、所定の時間が経過しても前記いずれか一つの機器から前記バイタル情報を受信しない場合、前記いずれか一つの機器に、再度バイタル測定要請信号を送信する制御を実行する、
請求項３ないし５のいずれかの項記載のナースコールシステム。
【請求項７】
前記看護師用携帯電話または前記ナースコール親機は、前記バイタル測定部または前記バイタル通信部を有する前記いずれか一つの機器に前記バイタル測定要請信号を送信できる構成となっている、
請求項３ないし５のいずれかの項記載のナースコールシステム。
【発明の詳細な説明】
【技術分野】
【０００１】
本発明は、ナースコールシステムに関する。
【背景技術】
【０００２】
従来より、個々のベッドに設置されたナースコール子機から呼び出しが成されたら、ナースステーションに設置されたナースコール親機等に通知されるナースコールシステムが普及している。このようなナースコールシステムでは、呼び出されたナースコール親機等において呼出元のベッド番号や患者氏名が表示部に表示され、看護師はその表示により呼出元を認識して応答することができる。
一方、看護師は、ナースコール子機からの呼び出しに応答できる看護師用携帯電話を携行して、自分の担当する入院患者の病室を定期的に巡回している。
【先行技術文献】
【特許文献】
【０００３】
【特許文献１】特開２０１４−０８７５２４号公報
【発明の概要】
【発明が解決しようとする課題】
【０００４】
看護師は定期的な巡回の際、入院患者の体調等の問診に加えて脈拍や体温等のバイタルの測定を行う必要があり、入院患者が不在の場合には再度病室を訪れる必要もあることから、巡回を終えるにはかなりの時間を要しており、看護業務の負担となっていた。
【０００５】
本発明は、このような問題点に鑑みてなされたものであり、入院患者自身によりバイタルを測定することができるナースコールシステムを提供することを課題とする。
【課題を解決するための手段】
【０００６】
上記課題を解決するために、本願発明者は、以下のようなナースコールシステムを提案する。
【０００７】
本発明のナースコールシステムは、入院患者が看護師を呼ぶために病室のベッド毎に備えられたナースコール子機と、ナースコール子機からの呼び出しに応答するためにナースステーションに設置されたナースコール親機と、ナースコール子機が接続され、病室内のベッド近傍に設置されるプレート子機と、病室のベッド毎に備えられて患者関連情報を表示可能なベッドサイドモニタと、機器間の通話および通信を制御する制御装置と、ナースコール子機からの呼び出しに応答するために看護師が携行する複数の看護師用携帯電話と、入院患者が所持する複数の入院患者用携帯電話と、を備えている。ナースコール子機、プレート子機、ベッドサイドモニタまたは入院患者用携帯電話のうちのいずれか一つの機器は、入院患者の所定の部位を接触させることにより入院患者のバイタルの測定ができるバイタル測定部またはバイタル測定を行う機器からバイタル情報を取得できるバイタル通信部を有しており、前記バイタル測定部により測定されたバイタル情報または前記バイタル通信部から取得したバイタル情報を所定の患者情報とともに前記制御装置に送信する制御を実行する構成となっている。
このような構成のナースコールシステムによれば、入院患者が自身のバイタルを測定することができるとともに、測定されたバイタル情報が所定の患者情報とともに制御装置に送信される構成になっているので、担当看護師が一日に何度も入院患者のバイタルを測定する必要がなくなり、看護業務の負担を軽減することができる。
【０００８】
ナースコール子機、プレート子機、ベッドサイドモニタまたは入院患者用携帯電話のうちのいずれか一つの機器は、バイタルを測定する際に個人認証を実行する制御を実行する構成となっていてもよい。
このような構成のナースコールシステムによれば、バイタルの測定の際に個人認証が実行されるため、バイタルを測定しようとする者が入院患者本人であることを確認した上でバイタルの測定が行うことができる。
なお、個人認証を実行する機器は、バイタル測定部を有する機器と同じ機器であってもよいし、異なる機器であってもよい。
【０００９】
制御装置は、予め設定された所定の時間になると、バイタル測定部またはバイタル通信部を有するいずれか一つの機器にバイタル測定要請信号を送信し、バイタル測定要請信号を受信したいずれかの一つの機器は、入院患者にバイタルを測定するよう報知する制御を実行する構成となっていてもよい。
このような構成のナースコールシステムによれば、予め設定された所定の時間に、入院患者にバイタルを測定するよう報知できるので、入院患者に定期的にバイタルを測定するように要請することができる。
また、バイタル測定要請信号を受信したいずれかの一つの機器がバイタル測定部を有する場合、バイタル測定部を有効にするとともに、入院患者にバイタルを測定するよう報知する制御を実行する構成としてもよい。
いずれかの一つの機器がバイタル測定部を有する場合、このような構成とすれば、バイタルを測定する必要がある場合にのみバイタル測定部を有効にすることができる。
【００１０】
制御装置は、バイタル測定部またはバイタル通信部を有するいずれか一つの機器にバイタル測定要請信号を送信した後、所定の時間が経過してもいずれか一つの機器からバイタル情報を受信しない場合、担当看護師の看護師用携帯電話にバイタル情報未受信通知信号を送信する制御を実行する構成としてもよい。
このような構成のナースコールシステムによれば、所定時間内に入院患者によりバイタルが測定されなかったことを担当看護師に知らせることができるので、担当看護師は入院患者の病室を訪れる等、適宜対応することができる。
【００１１】
制御装置は、バイタル測定部またはバイタル通信部を有するいずれか一つの機器にバイタル測定要請信号を送信した後、所定の時間が経過してもいずれか一つの機器からバイタル情報を受信しない場合、いずれか一つの機器に、再度バイタル測定要請信号を送信する制御を実行する構成としてもよい。
このような構成のナースコールシステムによれば、入院患者がトイレに行ったり一時的に病室の外に出ていた等の事情でバイタルが測定できなかった場合に、再度バイタルを測定するよう報知することができる。
【００１２】
看護師用携帯電話またはナースコール親機は、バイタル測定部またはバイタル通信部を有するいずれか一つの機器にバイタル測定要請信号を送信できる構成とすることもできる。
このような構成のナースコールシステムによれば、所定時間内に入院患者によりバイタルが測定されなかった場合等のような、制御装置に予め設定されたタイミング以外にも、担当看護師の判断でバイタル測定要請信号を送信することができる。
【発明の効果】
【００１３】
本発明によれば、入院患者自身によりバイタルの測定を行うことができるナースコールシステムを提供することができる。
【図面の簡単な説明】
【００１４】
【図１】ナースコールシステムＡの全体構成を示す図。
【図２】ナースコールシステムＡのナースコール子機１およびプレート子機２を示す図。
【図３】ナースコールシステムＡのプレート子機２の構成を示す機能ブロック図。
【図４】ナースコールシステムＡのベッドサイドモニタ３の構成を示す機能ブロック図。
【図５】ナースコールシステムＡの廊下灯６の構成を示す機能ブロック図。
【図６】ナースコールシステムＡのナースコール親機７の構成を示す機能ブロック図。
【図７】ナースコールシステムＡの制御機８の構成を示す機能ブロック図。
【図８】ベッドサイドモニタ３のモニタ３１の表示画面を示す図。
【図９】ベッドサイドモニタ３のモニタ３１の表示画面を示す図。
【発明を実施するための形態】
【００１５】
以下、本発明のナースコールシステムの好ましい実施形態を、図面を参照しながら詳細に説明する。
【００１６】
図１は、本発明の実施形態に係るナースコールシステムＡの構成図である。   
この図に示すように、ナースコールシステムＡは、入院患者が看護師を呼び出すために病室のベッド毎に備えられたナースコール子機１と、このナースコール子機１が接続され、病室内のベッド近傍の壁面に設置されるプレート子機２と、病室のベッド毎に備えられて患者関連情報を表示可能なベッドサイドモニタ３と、病室の扉に設けられた電子錠４と、ベッド上の入院患者を撮像できる病室カメラ５と、病室近傍の廊下壁面に設置される廊下灯６と、ナースコール子機１からの呼び出しに応答するためにナースステーションに設置されたナースコール親機７と、ナースコール子機１や廊下灯６、ナースコール親機７等の各機器を制御する制御機８と、看護師が携行する看護師用携帯電話９と、入院患者が所持する入院患者用携帯電話１０とを備えている。
また、このナースコールシステムＡは、 制御機８に接続され、看護師用携帯電話９または入院患者用携帯電話１０との通信を管理する交換機（以下、ＩＰ−ＰＢＸとする。）１１と、看護師用携帯電話９または入院患者用携帯電話１０とＩＰ−ＰＢＸ１１との間で無線通信を行う基地局１２と、入院患者の各種データが蓄積されたナースコールサーバ１３と、看護師の位置情報を管理する位置管理サーバ１４と、共用部に設置される共用部カメラ１５と、ＩＭＥＳ（Indoor Messaging System）送信機１６を備えている。
【００１７】
ナースコール子機１が接続されたプレート子機２は、伝送線を介して廊下灯６に接続されており、ベッドサイドモニタ３、電子錠４、病室カメラ５、廊下灯６、ナースコール親機７、制御機８、ＩＰ−ＰＢＸ１１、ナースコールサーバ１３、位置管理サーバ１４、および共用部カメラ１５は、それぞれＨＵＢ１７を介して、病院内に配設されたＬＡＮ１８に接続されている。
また、ＩＰ−ＰＢＸ１１は、伝送線を介して基地局１２と接続されている。
基地局１２は、施設内の複数の箇所に適宜設定されている。
【００１８】
ナースコール子機１は、図２に示すように、看護師を呼び出すための呼出ボタン１ａを有しており、プレート子機２に接続されている。
【００１９】
プレート子機２は、図３に示すように、ナースコール子機１と接続されるナースコール子機接続部２１、通話するためのマイク２２およびスピーカ２３、音声信号を処理する子機音声処理部２４、プレート子機２を制御する子機ＣＰＵ２５、廊下灯６と通信する子機通信ＩＦ２６、および報知動作等を停止できる復旧ボタン２７を有している。
【００２０】
ベッドサイドモニタ３は、図４に示すように、各種情報を表示するモニタ３１、モニタ３１に表示する映像を処理するサイドモニタ映像処理部３２、各種操作をするタッチパネルから成る操作部３３、通話するためのマイク３４およびスピーカ３５、音声信号を処理するサイドモニタ音声処理部３６、ベッドサイドモニタ３を制御するサイドモニタＣＰＵ３７、制御機８と通信するサイドモニタ通信ＩＦ３８、報知動作等を停止させたり液晶表示をオン／オフ操作できる復旧ボタン３９、およびバイタル取得部４０を有している。
バイタル取得部４０は、有効とされた場合、入院患者の所定の部位、例えば示指の指腹を接触させることにより、個人認証の実行および脈拍、血圧または体温等のバイタルの測定を実行することができる。
個人認証の実行は、例えば示指の指腹をバイタル取得部４０に接触させた者の当該部位の静脈情報や指紋情報が、予め登録された入院患者の当該部位の静脈情報や指紋情報と一致するか否かを確認することにより実行される。
【００２１】
廊下灯６は、図５に示すように、入院患者からの呼出発生を発光表示する呼出表示灯４１、通話するためのマイク４２およびスピーカ４３、音声信号を処理する廊下灯音声処理部４４、廊下灯６を制御する廊下灯ＣＰＵ４５、ナースコール親機７等と通信するための廊下灯第１通信ＩＦ４６、報知動作を停止させるための復旧ボタン４７、およびプレート子機２と通信するための廊下灯第２通信ＩＦ４８を有している。
【００２２】
ナースコール親機７は、図６に示すように、ナースコール子機１からの呼び出しに応答するためのハンドセット６１、警報音等を報音するスピーカ６２、音声信号を処理すると共に警報音を処理する親機音声処理部６３、各種情報を表示する親機モニタ６４、親機モニタ６４に表示する映像を処理する親機映像処理部６５、各種操作をするタッチパネルから成る操作部６６、ナースコール親機７全体を制御する親機ＣＰＵ６７、制御機８等の他の機器と通信する親機通信ＩＦ６８、および各種情報を記憶する情報記憶部６９を有している。
【００２３】
制御機８は、図７に示すように、看護師とその看護師が携行する看護師用携帯電話９を関連づけた携帯電話／看護師関連テーブル７１、看護師と入院患者を関連づけた看護師／入院患者関連テーブル７２、各種情報を記憶する情報記憶部７３、制御機８を制御する制御機ＣＰＵ７４、および廊下灯６等の他の機器と通信する制御機通信ＩＦ７５を有している。 
情報記憶部７３は、患者関連情報を記憶する患者関連情報記憶部７３ａを備えている。
この患者関連情報記憶部７３ａには、入院患者の氏名や年齢等の患者情報、入院患者の静脈情報や指紋情報、入院患者の看護区分や診療科目等の看護情報、ナースコール子機１の子機ＩＤ、ベッド番号、入院患者の検査、手術等のスケジュール情報、入院患者の所有する入院患者用携帯電話１０の携帯電話情報等が記憶されている。これらの情報は、ナースコール親機７を操作することにより入力される。
【００２４】
看護師用携帯電話９および入院患者用携帯電話１０は、携帯電話機能を備えた多機能型端末であり、例えばスマートフォンと称される機器に所定のアプリケーションソフトウェアをインストールすることにより、ナースコールシステムＡの一部として使用することができる。
本実施形態では、看護師用携帯電話９は、ナースコール子機１からの呼び出しに応答したり、設定により、バイタル測定要請信号を送信することができる。
看護師用携帯電話９は、ＩＭＥＳ送信機１６と位置管理サーバ１４とともに位置特定システムを構成するため、看護師用携帯電話９には、ＧＰＳの衛星電波を受信して自身の位置を特定し、自身のＩＤを特定した位置情報に付加して発信する、図示しないＧＰＳ通信部が内蔵されているものが使用される。
【００２５】
ＩＭＥＳ送信機１６は、病棟内または病院内の適宜部位、例えば各病室、ナースステーション、手術室、待合室、談話室、廊下等の適宜位置に設置され、自身の位置情報をＧＰＳ電波と同じ電波形式の無線信号を使用して常時配信している。
そして、このＩＭＥＳ送信機１６のうち近くのＩＭＥＳ送信機１６が配信する位置情報を、看護師用携帯電話９に内蔵されているＧＰＳ通信部が受信して自身の位置を把握し、ＩＤを付加して把握した位置情報を定期的に位置管理サーバ１４に送信する。看護師用携帯電話９が送信する位置情報は、通常の通話信号の場合と同様に基地局１２が受信し、交換機１１、ＬＡＮ１８を介して位置管理サーバ１４に伝送されて保存される。こうして、看護師用携帯電話９の現在位置を把握する位置特定システムを構築している。
ナースコール子機１から看護師の呼び出しがあった場合、制御機８は、位置管理サーバ１４に、携帯電話／看護師関連テーブル７１、看護師／入院患者関連テーブル７２を参照して、呼び出しをした入院患者と関連づけられている看護師の中のうち、入院患者のナースコール子機１の場所に近い看護師を選択させて、その看護師の看護師用携帯電話９に呼び出しを通知する。
【００２６】
共用部カメラ１５は、病棟内または病院内の共用部、例えば各階の廊下、待合室、談話室等の共用部に適宜設けられている。この共用部カメラ１５や病室カメラ５により撮像された画像は、ナースコール親機７の操作部６６を操作することにより、親機モニタ６４に表示できるように構成されている。
【００２７】
以上のように構成されたナースコールシステムＡの動作を以下に説明する。
ただし、ナースコール子機１からの看護師の呼び出し、呼び出しを受けたナースコール親機７や看護師用携帯電話９の報音動作、ナースコール親機７または看護師用携帯電話９による応答操作は従来と同様であるため説明を省略し、ここでは入院患者自身によるバイタルの測定に関連する動作について説明する。
なお、本実施形態では、バイタル測定要請信号はベッドサイドモニタ３に送信されるように設定されており、バイタル取得部４０は、入院患者の指を接触させることでバイタルの測定ができるものとする。
【００２８】
制御機８は、予め設定された所定の時間（例えば、８時、１４時、２０時）になると、制御機ＣＰＵ７４の制御のもと、バイタル取得部４０を有するベッドサイドモニタ３にバイタル測定要請信号を送信する。
【００２９】
ベッドサイドモニタ３は、バイタル測定要請信号を受信すると、サイドモニタＣＰＵ３７の制御のもと、バイタル取得部４０を予め設定された時間（例えば５分）だけ有効にするとともに、入院患者にバイタルを測定するよう報知する制御を実行する。
具体的には、図８に示すように「バイタルを測ります。右の測定部に右手の人差し指を置いてください。」等のメッセージをモニタ３１に表示するとともにスピーカ３５から音声によっても報知する。なお、このような報知は、メッセージの表示のみまたは音声のみにより行われる構成としてもよい。
【００３０】
この報知により、入院患者は、有効になっているベッドサイドモニタ３のバイタル取得部４０に、示指の指腹を接触させる。
入院患者が示指の指腹をバイタル取得部４０に接触させると、サイドモニタＣＰＵ３７は、バイタル取得部４０に接触している示指の指腹の静脈情報や指紋情報を読み取る一方、制御機８の患者関連情報記憶部７３ａを参照し、読み取った指腹の静脈情報や指紋情報が、予め患者関連情報記憶部７３ａに記録されている入院患者の当該部位の静脈情報や指紋情報と一致するか否かを確認することで、個人認証を実行する。
【００３１】
一致する場合、バイタル取得部４０は、バイタル取得部４０に接触している示指から、脈拍、血圧または体温等のバイタルの測定を実行する。
バイタルの測定が終了すると、サイドモニタＣＰＵ３７の制御のもと、バイタル取得部４０を無効にするとともに、入院患者にバイタルの測定が終了したことを報知する制御を実行する。具体的には、図９に示すように「測定が終了しました。」等のメッセージをモニタ３１に表示するとともにスピーカ３５から音声によっても報知する。なお、このような報知は、上述のように、メッセージの表示のみまたは音声のみにより行われる構成としてもよい。
また、バイタルの測定が終了すると、ベッドサイドモニタ３は、サイドモニタＣＰＵ３７の制御のもと、測定されたバイタル情報を、入院患者の氏名、子機１の子機ＩＤまたはベッド番号等の所定の患者情報とともに制御機８に送信する。
制御機８は、受信したバイタル情報を、患者関連情報記憶部７３ａ等に記録する。
担当看護師は、患者関連情報記憶部７３ａ等に記録されたバイタル情報を確認し、必要に応じて入院患者のバイタルを再度測定したり看護したりすることができる。
【００３２】
このように、本実施形態のナースコールシステムＡによれば、入院患者が自身の所定の部位をバイタル取得部４０に接触させることにより該入院患者のバイタルを測定することができるとともに、測定されたバイタル情報が所定の患者情報とともに制御機８に送信される構成になっているので、担当看護師が一日に何度も入院患者のバイタルを測定する必要がなくなり、看護業務の負担を軽減することができる。また、バイタルの測定の際に個人認証が実行されるため、バイタルを測定する者が入院患者本人であることを確認した上でバイタルの測定が行うことができる。
また、本実施形態のナースコールシステムＡによれば、予め設定された所定の時間にバイタル取得部４０を有効にするとともに入院患者にバイタルを測定するよう報知できるので、入院患者に定期的にバイタルを測定するように要請することができる。
【００３３】
一方、個人認証の結果、一致しない場合にはバイタルの測定は実行されないため、誤って他人のバイタルが測定されることを防止することができる。
【００３４】
また、制御機８は、ベッドサイドモニタ３にバイタル測定要請信号を送信してから所定の時間（例えば１０分）が経過してもベッドサイドモニタ３からバイタル情報を受信しない場合、制御機ＣＰＵ７４の制御のもと、再度、バイタル測定要請信号を送信する制御を実行する。ベッドサイドモニタ３は、バイタル測定要請信号を受信すると、サイドモニタＣＰＵ３７の制御のもと、上述のように、再度、バイタル取得部４０を予め設定された時間（例えば５分）だけ有効にするとともに、入院患者にバイタルを測定するよう報知する制御を実行する。
このように、本実施形態のナースコールシステムＡによれば、入院患者がトイレに行ったり一時的に病室の外に出ていた等の事情でバイタルが測定できなかった場合に、再度バイタルを測定するよう報知することができる。
【００３５】
また、制御機８は、再度のバイタル測定要請信号を送信してから所定の時間が経過してもベッドサイドモニタ３からバイタル情報を受信しない場合、携帯電話／看護師関連テーブル７１および看護師／入院患者関連テーブル７２を参照して、該入院患者の担当看護師の看護師用携帯電話９にバイタル情報未受信通知信号を送信する制御を実行する。
このように、本実施形態のナースコールシステムＡによれば、再度のバイタル測定要請信号を送信してから所定時間内に入院患者によりバイタルが測定されなかったことを担当看護師に知らせることができるので、担当看護師は後ほど入院患者の病室を訪れる等、適宜対応することができる。
【００３６】
なお、ナースコールシステムＡは担当看護師用携帯電話９からバイタル測定要請信号を送信できる構成となっているので、制御機８に予め設定されたタイミング以外にも、担当看護師の判断で看護師用携帯電話９からバイタル測定要請信号を送信することができる。
本実施形態では、制御機８は、再度のバイタル測定要請信号を送信してから所定の時間が経過してもベッドサイドモニタ３からバイタル情報を受信しない場合に、該入院患者の担当看護師の看護師用携帯電話９にバイタル情報未受信通知信号を送信する制御を実行する構成となっているが、これに限られず、制御機８は、ベッドサイドモニタ３にバイタル測定要請信号を送信してから所定の時間が経過しても、ベッドサイドモニタ３からバイタル情報を受信しない場合に、再度、バイタル測定要請信号を送信する制御を実行するとともに、携帯電話／看護師関連テーブル７１および看護師／入院患者関連テーブル７２を参照して、該入院患者の担当看護師の看護師用携帯電話９にバイタル情報未受信通知信号を送信する制御を実行する構成としてもよいし、再度、バイタル測定要請信号を送信する制御を実行することなく、該入院患者の担当看護師の看護師用携帯電話９にバイタル情報未受信通知信号を送信する制御を実行する構成としてもよい。
【００３７】
なお、本実施形態では、ベッドサイドモニタ３がバイタル取得部４０を有するものとして記載したが、これに限られず、ナースコール子機１、プレート子機２、ベッドサイドモニタ３または入院患者用携帯電話１０のうちのいずれか一つの機器がバイタル取得部を有していてもよい。
入院患者用携帯電話１０がバイタル取得部を有するような構成とする場合には、所定のアプリケーションソフトウェアをインストールする必要がある。
【００３８】
一方、ナースコール子機１、プレート子機２、ベッドサイドモニタ３または入院患者用携帯電話１０のうちのいずれか一つの機器がバイタル取得部を有するのではなく、バイタル測定を行うことができるウェアラブル端末（バイタル測定を行う機器）からバイタル情報を取得できるバイタル通信部を有する構成としてもよい。
このような構成のナースコールシステムによっても入院患者のバイタル情報を取得することができる。
【００３９】
また、本実施形態では、ベッドサイドモニタ３がバイタル取得部４０を有しており、このバイタル取得部４０が個人認証の実行およびバイタルの測定を実行する構成となっているが、個人認証は、バイタル測定を実行する機器と同じ機器が実行する構成であってもよいし、異なる機器が実行する構成であってもよい。例えば、ナースコール子機１にバイタル取得部を設けるとともに、プレート子機２により個人認証を行う構成としてもよい。
【００４０】
また、個人認証は、入院患者の静脈情報や指紋情報に限られず、例えば子機ＩＤやベッド番号、入院患者用携帯電話１０の電話番号、入院患者の声紋情報等を使用してもよい。
また、バイタル測定は、バイタル取得部４０に示指の指腹を接触させて実行することに限られず、例えば複数の指の指腹を接触させる等、入院患者の所定の部位を接触させることによりバイタルが測定できればどのような態様でもよい。
【００４１】
また、本実施形態のナースコールシステムＡでは、入院患者のバイタル情報を記録する患者関連情報記憶部７３ａを制御機８が有するものとして記載したが、ナースコール親機７が患者関連情報記憶部７３ａを有していてもよいし、別の記録装置が患者関連情報記憶部７３ａを有していてもよい。
また、本実施形態のナースコールシステムＡでは、制御機８が携帯電話／看護師関連テーブル７１および看護師／入院患者関連テーブル７２を有するものとして記載したが、ナースコール親機７、位置管理サーバ１４または別の記録装置がこれらのうちのいずれかを有していてもよい。
【００４２】
以上のように、本発明のナースコールシステムは、ナースコール子機１、プレート子機２、ベッドサイドモニタ３または入院患者用携帯電話１０のうちのいずれか一つの機器が、バイタル取得部４０またはバイタル測定を行う機器からバイタル情報を取得できるバイタル通信部を有しており、バイタル取得部４０により測定されたバイタル情報またはバイタル通信部から取得したバイタル情報を所定の患者情報とともに制御機８に送信する制御を実行する構成となっていればよく、その他はどのように構成されていてもよい。
【符号の説明】
【００４３】
Ａ・・ナースコールシステム、１・・ナースコール子機、２・・プレート子機、３・・ベッドサイドモニタ、４・・電子錠、５・・病室カメラ、６・・廊下灯、７・・ナースコール親機、８・・制御機（制御装置）、９・・看護師用携帯電話、１０・・入院患者用携帯電話、１１・・交換機、１２・・基地局、１３・・ナースコールサーバ、１４・・位置管理サーバ、１５・・共用部カメラ、１６・・ＩＭＥＳ送信機（位置情報発信機）、１７・・ＨＵＢ、１８・・ＬＡＮ、２１・・ナースコール子機接続部、２２、３４、４２・・マイク、２３、３５、４３・・スピーカ、２４・・子機音声処理部、２５・・子機ＣＰＵ、２６・・子機通信ＩＦ、２７、３９、４７・・復旧ボタン、３１・・モニタ、３２・・サイドモニタ映像処理部、３３・・操作部、３６・・サイドモニタ音声処理部、３７・・サイドモニタＣＰＵ、３８・・サイドモニタ通信ＩＦ、４０・・バイタル取得部（バイタル測定部）、４１・・呼出表示灯、４４・・廊下灯音声処理部、４５・・廊下灯ＣＰＵ、４６・・第１廊下灯通信ＩＦ、４８・・第２廊下灯通信ＩＦ、６１・・ハンドセット、６２・・スピーカ、６３・・親機音声処理部、６４・・親機モニタ、６５・・親機映像処理部、６６・・操作部、６７・・親機ＣＰＵ、６８・・親機通信ＩＦ、６９・・情報記憶部、７１・・携帯電話／看護師関連テーブル、７２・・看護師／入院患者関連テーブル、７３・・情報記憶部、７３ａ・・患者関連情報記憶部、７４・・制御機ＣＰＵ、７５・・制御機通信ＩＦ。
【図１】
2019146125.tif 000003
【図２】
2019146125.tif 000004
【図３】
2019146125.tif 000005
【図４】
2019146125.tif 000006
【図５】
2019146125.tif 000007
【図６】
2019146125.tif 000008
【図７】
2019146125.tif 000009
【図８】
2019146125.tif 000010
【図９】
2019146125.tif 000011